(57)【要約】【課題】本発明は、トイレユニットを備えた箇所においても、隣接する天井ユニットの着脱が容易であるため、天井ユニットの点検やメンテナンスの作業性を大幅に改善した天井ユニットの接合構造を提供することを目的とする。【解決手段】本発明は、トイレユニットの上部に位置する天井ユニットＡと、これに隣接する天井ユニットＢとの接合構造において、前記天井ユニットＡ及びＢの両者が、客室側に面する本体と、天井側を覆う上板とを合体して構成され、前記天井ユニットＢが、その本体と上板とを合体させたままの状態で、前記天井ユニットＡから着脱される天井ユニットの接合構造である。【選択図】図４
2009067288.tif 000002
【特許請求の範囲】
【請求項１】
トイレユニットの上部に位置する天井ユニットＡと、これに隣接する天井ユニットＢとの接合構造において、
前記天井ユニットＡ及びＢの両者が、客室側に面する本体と、天井側を覆う上板とを合体して構成され、
前記天井ユニットＢが、その本体と上板とを合体させたままの状態で、前記天井ユニットＡから着脱される天井ユニットの接合構造。
【請求項２】
請求項１において、
トイレユニットが、車体の前後方向の一端に備えられ、通路側に面する通路側側壁と客席側に面する客席側側壁とを有し、
前記トイレユニットの客席側側壁から、天井ユニットＢに向かって突出した天井ユニットＡの接合片Ａと、
前記天井ユニットＢから、天井ユニットＡに向かって突出した接合片Ｂとを嵌合させることにより、
前記トイレユニットの客席側側壁に対し、前記天井ユニットＢが着脱可能とされる天井ユニットの接合構造。
【請求項３】
請求項１または２において、
接合片Ａは、天井ユニットＡを構成する本体及び上板の両者から、天井ユニットＢに向かって突出し、前記本体からの突出長さが前記上板からの突出長さよりも短く、
接合片Ｂは、天井ユニットＢを構成する本体及び上板の両者から、天井ユニットＡに向かって突出し、前記本体からの突出長さが前記上板からの突出長さよりも長く設定されることにより、
前記天井ユニットＢが、その本体と上板とを合体させたままの状態で、前記天井ユニットＡから着脱される天井ユニットの接合構造。
【請求項４】
請求項１から３の何れかにおいて、
トイレユニットの通路側側壁の上部では、天井ユニットＡの本体及び上板が、前記通路側側壁を囲むように設置され、
客席側側壁の上部では、天井ユニットＡの本体及び上板の接合部Ａが、前記客席側側壁に沿って設置される天井ユニット同士の接合構造。
【請求項５】
請求項１から４の何れかにおいて、
突出した接合片Ａが、固定部材によって、トイレユニットの客席側側壁に固定され、
前記固定部材が、水平部分と鉛直部分とを有し、
突出した接合片Ａの、接合片Ｂとの嵌合部分が、固定部材の水平部分よりも前記天井ユニットＢの方向に飛び出した天井ユニットの接合構造。
【発明の詳細な説明】
【技術分野】
【０００１】
本発明は、鉄道車両用の天井ユニットの接合構造に関する。
【背景技術】
【０００２】
鉄道車両の車体の屋根構体２０には、天井ユニット１が取付けられる。この天井ユニットは、図６に示すように、車体の屋根構体２０の天井面７に沿う上板８と、この上板８と合体することにより、空調からの冷暖気を通す風道２１を構成する本体６とを有するものが知られている。そして、複数の天井ユニット１をそれぞれの天井ユニット１から互いに突出させた接合片によって、車体の前後方向に接続することにより、車体の天井内装が構成されると同時に、車体の前後方向に亘って風道２１が形成される（特許文献１、２）。また、図７に示すように、鉄道車両には、車両の前後方向の一端にトイレユニット９が設置されるものがあり、この場合には、このトイレユニット９を避ける形状とされた天井ユニットＡ２が取り付けられる。
【特許文献１】実開平６−６０５７１号公報
【特許文献２】特開２００５−３２９８６５号公報
【発明の開示】
【発明が解決しようとする課題】
【０００３】
しかしながら、トイレユニット９を備えた車両においては、天井ユニットＡ２が、トイレユニット９の形状に合わせて、切り取られたような形状となる。このため、天井ユニットＡ２とこれに隣接する天井ユニットＢ３との接合は、通常の天井ユニット同士の接合構造を採用することができない。つまり、図７に示すように、トイレユニット９の客席側１５については、この部分における接合部（客席側接合部１３）自体が、トイレユニット９の形状に合わせるために取り除かれているため、通常の接合構造を採用することができない。
【０００４】
そこで、図５に示すように、客席側接合部１３については、天井ユニットＡ２に隣接する天井ユニットＢ３の接合片Ｂ１７を、トイレユニット９の客席側側壁１１に、天井ユニットＢ３の本体６の接合片Ｂ１７の下側に取り付けた固定部材１８を使って固定する方法が考えられる。しかしながら、この場合には、天井ユニットＡ２に点検やメンテナンスが必要になり、これに隣接する天井ユニットＢ３を取外そうとした場合、天井ユニットＢ３の本体６の接合片Ｂ１７の下側に取り付けた固定部材１８を全て取外す必要がある。この固定部材１８は、他の部材とも複雑に干渉しながら取り付けられるのが通常であるため、固定部材１８の取り外しは、非常に面倒な作業となっている。
【０００５】
また、天井ユニット１同士を接合するために、図８に示すように、上板８と本体６にオフセット１９を設けた天井ユニット、つまり、上板８の接合片４の先端の位置を、本体６の接合片４の先端の位置よりも、出っ張らせたり、引っ込ませたりすることにより、本体６と上板８とを一体化したままの状態で、隣接する天井ユニット１から着脱可能とした天井ユニット１では、図５に示すように、天井ユニットＡ２に隣接する天井ユニットＢ３の接合片を、トイレユニット９の客席側側壁１１に、天井ユニットＢ３の本体６の下側に取り付けた固定部材１８を使って固定した場合、上板８の接合片Ｂ１７の先端の位置が、本体６の接合片Ｂ１７の先端の位置よりも引っ込んでいるので、上板８の接合片Ｂ１７とトイレユニット９の客席側側壁１１との間に隙間ができてしまう。このため、上板８と本体６にオフセット１９を設ける天井ユニット１の接合構造は採用できず、本体６と上板８とを一体化したままの状態では、着脱することができない問題があった。したがって、トイレユニット９を備えた箇所の天井ユニットＡ２の点検やメンテナンスのため、これに隣接する天井ユニットＢ３を取り外す場合は、上述したように、固定部材１８を取外す面倒に加え、本体６と上板８をそれぞれ取外す必要があり、大変面倒な作業となっていた。
【０００６】
本発明は、従来の技術の有するこのような問題点に鑑みてなされたものであり、トイレユニットを備えた箇所においても、隣接する天井ユニットの着脱が容易であるため、天井ユニットの点検やメンテナンスの作業性を大幅に改善した天井ユニットの接合構造を提供することを目的とする。
【課題を解決するための手段】
【０００７】
本発明は、以下に関するものである。
（１）  トイレユニットの上部に位置する天井ユニットＡと、これに隣接する天井ユニットＢとの接合構造において、前記天井ユニットＡ及びＢの両者が、客室側に面する本体と、天井側を覆う上板とを合体して構成され、前記天井ユニットＢが、その本体と上板とを合体させたままの状態で、前記天井ユニットＡから着脱される天井ユニットの接合構造。
（２）  （１）において、トイレユニットが、車体の前後方向の一端に備えられ、通路側に面する通路側側壁と客席側に面する客席側側壁とを有し、前記トイレユニットの客席側側壁から、天井ユニットＢに向かって突出した天井ユニットＡの接合片Ａと、前記天井ユニットＢから、天井ユニットＡに向かって突出した接合片Ｂとを嵌合させることにより、前記トイレユニットの客席側側壁に対し、前記天井ユニットＢが着脱可能とされる天井ユニットの接合構造。
（３）  （１）または（２）において、接合片Ａは、天井ユニットＡを構成する本体及び上板の両者から、天井ユニットＢに向かって突出し、前記本体からの突出長さが前記上板からの突出長さよりも短く、接合片Ｂは、天井ユニットＢを構成する本体及び上板の両者から、天井ユニットＡに向かって突出し、前記本体からの突出長さが前記上板からの突出長さよりも長く設定されることにより、前記天井ユニットＢが、その本体と上板とを合体させたままの状態で、前記天井ユニットＡから着脱される天井ユニットの接合構造。
（４）  （１）から（３）の何れかにおいて、トイレユニットの通路側側壁の上部では、天井ユニットＡの本体及び上板が、前記通路側側壁を囲むように設置され、客席側側壁の上部では、天井ユニットＡの本体及び上板の接合部Ａが、前記客席側側壁に沿って設置される天井ユニット同士の接合構造。
（５）  （１）から（４）の何れかにおいて、突出した接合片Ａが、固定部材によって、トイレユニットの客席側側壁に固定され、前記固定部材が、水平部分と鉛直部分とを有し、突出した接合片Ａの、接合片Ｂとの嵌合部分が、固定部材の水平部分よりも前記天井ユニットＢの方向に飛び出した天井ユニットの接合構造。
【発明の効果】
【０００８】
本発明によれば、トイレユニットを備えた箇所においても、隣接する天井ユニットの着脱が容易であるため、天井ユニットの点検やメンテナンスの作業性を大幅に改善した天井ユニットの接合構造を提供することができる。
【発明を実施するための最良の形態】
【０００９】
本発明の鉄道車両用の天井ユニットの実施形態の一例を図１、図２、図３、図４、図６に示す。本発明は、トイレ付きの鉄道車両用の天井ユニット１であって、空調（図示しない。）からの冷暖気を通す通路となる風道２１や灯具（図示しない。）等の設置スペースを構成するとともに、車体の天井内装を構成するものに適用される。
【００１０】
本発明は、図１、図２に示すような、トイレユニットの上部に位置する天井ユニットＡと、これに隣接する天井ユニットＢとの接合構造において、図６に示すように、前記天井ユニットＡ及びＢの両者が、客室側に面する本体と、天井側を覆う上板とを合体して構成され、前記天井ユニットＢが、その本体と上板とを合体させたままの状態で、前記天井ユニットＡから着脱される天井ユニットの接合構造である。
【００１１】
本発明は、図１、図２に示すように、トイレユニット９が、車体の前後方向の一端に備えられ、通路側１４に面する通路側側壁１０と客席側１５に面する客席側側壁１１とを有し、図３、図４に示すように、前記トイレユニット９の客席側側壁１１から、天井ユニットＢ３に向かって突出した天井ユニットＡ２の接合片Ａ１６と、前記天井ユニットＢ３から、天井ユニットＡ２に向かって突出した接合片Ｂ１７とを嵌合させることにより、前記トイレユニット９の客席側側壁１１に対し、前記天井ユニットＢ３が着脱可能とされる天井ユニットの接合構造である。
【００１２】
本発明は、図４に示すように、接合片Ａ１６は、天井ユニットＡ２を構成する本体６及び上板８の両者から、天井ユニットＢ３に向かって突出し、前記本体６からの突出した先端が前記上板８から突出した先端よりも引っ込み、接合片Ｂ１７は、天井ユニットＢ３を構成する本体６及び上板８の両者から、天井ユニットＡ２に向かって突出し、前記本体６から突出した先端が前記上板８から突出した先端よりも出っ張るように設定されることにより、図８のオフセット１９を設けた接合構造と同様の接合構造を実現でき、前記天井ユニットＢ３が、その本体６と上板８とを合体させたままの状態で、前記天井ユニットＡ２から着脱される天井ユニットの接合構造である。
【００１３】
本発明は、図１、図２に示すように、トイレユニット９の通路側側壁１０の上部では、天井ユニットＡ２の本体６及び上板８が、前記通路側側壁１０を囲むように設置され、客席側側壁１１の上部では、図４に示すように、天井ユニットＡ２の本体６及び上板８の接合部Ａ１６が、前記客席側側壁１１に沿って設置される天井ユニット同士の接合構造である。
【００１４】
本発明は、図４に示すように、天井ユニットＡ２の本体６から突出した接合片Ａ１６が、固定部材１８によって、トイレユニット９の客席側側壁１１に固定され、前記固定部材１８が、水平部分２２と鉛直部分２３とを有し、突出した接合片Ａ１６の、接合片Ｂ１７との嵌合部分５が、固定部材１８の水平部分２２よりも前記天井ユニットＢ３の方向に飛び出した天井ユニットの接合構造である。
【００１５】
本発明は、以上により、トイレユニットを備えた箇所においても、隣接する天井ユニットの着脱が容易であるため、天井ユニットの点検やメンテナンスの作業性を大幅に改善した天井ユニットの接合構造を提供することができる。
【実施例】
【００１６】
本発明の鉄道車両用の天井ユニットの接合構造の実施例を図１、図２、図３、図４、図６に示す。本実施例は、トイレ付きの鉄道車両用の天井ユニット１であって、空調（図示しない。）からの冷暖気を通す通路となる風道２１や灯具（図示しない。）等の設置スペースを構成するとともに、車体の天井内装を構成するものに適用したものである。
【００１７】
図１、図２に示すような、トイレユニット９の上部に位置する天井ユニットＡ２と、これに隣接する天井ユニットＢ３との接合構造において、図６に示すように、前記天井ユニットＡ２及びＢ３の両者が、客室側に面する本体６と、天井側を覆う上板８とを合体して構成され、前記天井ユニットＢ３が、その本体６と上板８とを合体させたままの状態で、前記天井ユニットＡ２から着脱される。
【００１８】
図１、図２に示すように、トイレユニット９が、車体の前後方向の一端に備えられ、通路側１４に面する通路側側壁１０と客席側１５に面する客席側側壁１１とを有し、図３、図４に示すように、前記トイレユニット９の客席側側壁１１から、天井ユニットＢ３に向かって突出した天井ユニットＡ２の接合片Ａ１６と、前記天井ユニットＢ３から、天井ユニットＡ２に向かって突出した接合片Ｂ１７とを嵌合させることにより、前記トイレユニット９の客席側側壁１１に対し、前記天井ユニットＢ３が着脱可能とされる。
【００１９】
図４に示すように、接合片Ａ１６は、天井ユニットＡ２を構成する本体６及び上板８の両者から、天井ユニットＢ３に向かって突出し、前記本体６から突出した先端が前記上板８から突出した先端よりも引っ込んでおり、接合片Ｂ１７は、天井ユニットＢ３を構成する本体６及び上板８の両者から、天井ユニットＡ２に向かって突出し、前記本体６から突出した先端が前記上板８から突出した先端よりも出っ張るように設定されることにより、図８のオフセット１９を設けた接合構造と同様の接合構造を実現でき、前記天井ユニットＢ３が、その本体６と上板８とを合体させたままの状態で、前記天井ユニットＡ２から着脱される。
【００２０】
図１、図２に示すように、トイレユニット９の通路側側壁１１の上部では、天井ユニットＡ２の本体６及び上板８が、前記通路側側壁１０を囲むように設置され、客席側側壁１１の上部では、天井ユニットＡ２の本体６及び上板８の接合部Ａ１６が、前記客席側側壁１１に沿って設置される。
【００２１】
図４に示すように、天井ユニットＡ２の本体６から突出した接合片Ａ１６が、固定部材１８によって、トイレユニット９の客席側側壁１１に固定され、前記固定部材１８が、水平部分２２と鉛直部分２３とを有し、突出した接合片Ａ１６の、接合片Ｂ１７との嵌合部分５が、固定部材１８の水平部分２２よりも前記天井ユニットＢ３の方向に飛び出すようにする。
【００２２】
以上により、トイレユニットを備えた箇所においても、隣接する天井ユニットの着脱が容易であるため、天井ユニットの点検やメンテナンスの作業性を大幅に改善した。
【図面の簡単な説明】
【００２３】
【図１】本発明の実施例である天井ユニットの接続構造の平面図である。
【図２】本発明の実施例である天井ユニットＡの平面図である。
【図３】本発明の実施例である天井ユニットの接合片の平面図である。
【図４】本発明の実施例である天井ユニットの接合片の断面図である。
【図５】従来の天井ユニットの接合片の断面図である。
【図６】天井ユニットの天井構体への取付け状態を表わす車体幅方向の断面図の左側半分である。
【図７】トイレユニットを設置した場合の天井ユニットの連結状態を表す平面図である。
【図８】天井ユニットの接合片の断面図である。
【符号の説明】
【００２４】
１…天井ユニット、２…天井ユニットＡ、３…天井ユニットＢ、４…接合片、５…嵌合部分、６…本体、７…天井面、８…上板、９…トイレユニット、１０…通路側側壁、１１…客席側側壁、１２…通路側接合部、１３…客席側接合部、１４…通路側、１５…客席側、１６…接合片Ａ、１７…接合片Ｂ、１８…固定部材、１９…オフセット、２０…屋根構体、２１…風道、２２…水平部分、２３…鉛直部分、２５…吹出し用開口、２６…空気の流れ
【図１】
2009067288.tif 000003
【図２】
2009067288.tif 000004
【図３】
2009067288.tif 000005
【図４】
2009067288.tif 000006
【図５】
2009067288.tif 000007
【図６】
2009067288.tif 000008
【図７】
2009067288.tif 000009
【図８】
2009067288.tif 000010